(57)【要約】【課題】  異なるフォーマットの交換レンズと撮像装置を組み合わせて使用でき、且つ、防振機能を有するコンバージョンレンズ及びそれを有する撮像装置を得ること。【解決手段】  複数の第１の撮像素子を有する第１の撮像装置に交換レンズとして使用可能な撮像光学系を、第２の撮像素子を有する第２の撮像装置に適用可能とする、該撮像光学系と該第２の撮像素子との間に配置されるコンバージョンレンズであって、最も物体側に負レンズ、該負レンズより像側に少なくとも２枚の正レンズを有し、該コンバージョンレンズの一部または全体を光軸と直交する方向に移動させることで、防振を行うことを特徴とする。【選択図】  図１
2017026985.tif 000002
【特許請求の範囲】
【請求項１】
複数の第１の撮像素子を有する第１の撮像装置に交換レンズとして使用可能な撮像光学系を、第２の撮像素子を有する第２の撮像装置に適用可能とする、該撮像光学系と該第２の撮像素子との間に配置されるコンバージョンレンズであって、最も物体側に負レンズ、該負レンズより像側に少なくとも２枚の正レンズを有し、該コンバージョンレンズの一部または全体を光軸と直交する方向に移動させることで、防振を行うことを特徴とするコンバージョンレンズ。
【請求項２】
前記コンバージョンレンズの最も物体側のレンズ頂点から、合焦状態の前記撮像光学系を取り付けた際の結像点までの空気中の長さをＬ、前記撮像光学系のＦナンバーをＦｍ、前記撮像光学系の空気中のバックフォーカスをＢＦｍ、合焦状態の前記撮像光学系を取り付けた際の前記コンバージョンレンズの結像倍率をβとしたとき、
０．５＜（Ｌ・Ｆｍ）／（ＢＦｍ・β）＜２．０
１．１＜β＜４．０
なる条件を満足することを特徴とする請求項１に記載のコンバージョンレンズ。
【請求項３】
前記コンバージョンレンズに前記撮像光学系を取り付けた際の空気中のバックフォーカスをＢＦｃとしたとき、
０．６＜ＢＦｃ・Ｆｍ／ＢＦｍ＜２．５
なる条件を満足することを特徴とする請求項１又は２に記載のコンバージョンレンズ。
【請求項４】
前記第１の撮像素子のセンササイズの対角長をＩＳｍ、前記第２の撮像素子のセンササイズの対角長をＩＳｃとしたとき、
１.０＜ＩＳｃ／ＩＳｍ＜３．５
なる条件を満足することを特徴とする請求項１乃至３のいずれか１項に記載のコンバージョンレンズ。
【請求項５】
最も物体側の負レンズの焦点距離をｆｎ、屈折率をｎｄｎとしたとき、
−２．０＜ｆｎ／Ｌ＜−０．１
１．８１＜ｎｄｎ＜３．００
なる条件を満足することを特徴とする請求項１乃至４のいずれか１項に記載のコンバージョンレンズ。
【請求項６】
最も物体側の正レンズの屈折率をｎｄｐ、アッベ数をνｄｐとしたとき、
１．７５＜ｎｄｐ＜３．００
５＜νｄｐ＜３０
なる条件を満足することを特徴とする請求項１乃至５のいずれか１項に記載のコンバージョンレンズ。
【請求項７】
前記最も物体側の正レンズより物体側の負レンズの平均アッベ数をνｄｎａとしたとき、
１＜νｄｎａ−νｄｐ＜２０
なる条件を満足することを特徴とする請求項１乃至６のいずれか１項に記載のコンバージョンレンズ。
【請求項８】
請求項１乃至７の何れか１項に記載のコンバージョンレンズと撮像素子を有することを特徴とする撮像装置。
【発明の詳細な説明】
【技術分野】
【０００１】
本発明はコンバージョンレンズ及びそれを有する撮像装置に関し、例えば放送用テレビカメラ、ビデオカメラ、デジタルスチルカメラ、監視用カメラ、銀塩写真用カメラ等に好適なものである。
【背景技術】
【０００２】
従来、放送用テレビカメラ、ビデオカメラ、デジタルスチルカメラ、監視用カメラ、銀塩写真用カメラ等では、交換レンズと撮像装置の間に配し、交換レンズの焦点距離を長焦点化するコンバージョンレンズが知られている。また、光学系の一部または全体を光軸と垂直方向に移動させることで、防振機能を付加したコンバージョンレンズが知られている。（特許文献１、２）
特許文献１では、結像倍率が１．１〜１．３であり、光学系の一部を光軸と垂直方向に移動させ防振機能を付加した、色分解光学系を持つ２／３インチフォーマットカメラに好適なコンバージョンレンズを提案している。
【０００３】
特許文献２では、結像倍率が１．１〜１．８であり、光学系全体を光軸と垂直方向に移動させ防振機能を付加した、対角長４３．２ｍｍの銀塩写真用カメラに好適なコンバージョンレンズを提案している。
【先行技術文献】
【特許文献】
【０００４】
【特許文献１】特開平１１−２５８４９９号公報
【特許文献２】特開平７−２７９７５号公報
【発明の概要】
【発明が解決しようとする課題】
【０００５】
近年、放送用テレビカメラ、ビデオカメラ、デジタルスチルカメラ、監視用カメラ、銀塩写真用カメラ等では、高画素と高感度の両立が望まれており、撮像素子が大型化している。撮像素子の大型化に伴い、手振れ等の映像の揺れが目立つため、防振機能を持つことが望まれていた。一方、既存の交換レンズを多数所有するユーザーの中には、異なるフォーマットの撮像装置に既存の交換レンズを使用可能なコンバージョンレンズが望まれていた。例えば、２／３インチフォーマットの交換レンズを、より大きい撮像素子を有したスーパー３５ｍｍフォーマットの撮像装置に用いたいというニーズなどがある。この場合、交換レンズと撮像素子の間に、交換レンズの焦点距離を長焦点化させる光学系を配し、交換レンズのイメージサークルを拡大させる必要がある。
【０００６】
また、２／３インチフォーマットの交換レンズは色分解光学系を持つ撮像装置を前提に設計されている。そのため、スーパー３５ｍｍフォーマットのように単板の撮像装置に取り付けるためには、収差補正、主に球面収差と軸上色収差の補正が必要である。
【０００７】
特許文献１、２に開示されているコンバージョンレンズでは、防振機能は有しているものの同じフォーマットの撮像装置に対し長焦点化しているのみである。よって、上述の色分解光学系を取り除いた補正はされておらず、また、イメージサークルの拡大を考慮した収差補正もされていないため、異なるフォーマットに取り付けることができない。
【０００８】
本発明は、異なるフォーマットの交換レンズと撮像装置を組み合わせて使用でき、且つ、防振機能を有するコンバージョンレンズ及びそれを有する撮像装置の提供を目的とする。
【課題を解決するための手段】
【０００９】
本発明のコンバージョンレンズは、複数の第１の撮像素子を有する第１の撮像装置に交換レンズとして使用可能な撮像光学系を、第２の撮像素子を有する第２の撮像装置に適用可能とする、撮像光学系と第２の撮像素子との間に配置されるコンバージョンレンズにおいて、最も物体側に負レンズ、該負レンズより像側に少なくとも２枚の正レンズを有し、コンバージョンレンズの一部または全体を光軸と直交する方向に移動させることで、防振を行うことを特徴としている。
【発明の効果】
【００１０】
本発明によれば、異なるフォーマットの交換レンズと撮像装置を組み合わせて使用でき、且つ、防振機能を有するコンバージョンレンズ及びそれを有する撮像装置が得られる。
【図面の簡単な説明】
【００１１】
【図１】数値実施例１の無限遠物体に合焦したときのレンズ断面図（Ａ）、コンバージョンレンズのみのレンズ断面図（Ｂ）
【図２】数値実施例１の無限遠物体に合焦したときの収差図（Ａ）、画角の１０％（１．３６ｍｍ）の防振補正時の収差図（Ｂ）
【図３】数値実施例２の無限遠物体に合焦したときのレンズ断面図（Ａ）、コンバージョンレンズのみのレンズ断面図（Ｂ）
【図４】数値実施例２の無限遠物体に合焦したときの収差図（Ａ）、画角の１０％（１．６０ｍｍ）の防振補正時の収差図（Ｂ）
【図５】数値実施例３の無限遠物体に合焦したときのレンズ断面図（Ａ）、コンバージョンレンズのみのレンズ断面図（Ｂ）
【図６】数値実施例３の無限遠物体に合焦したときの収差図（Ａ）、画角の１０％（２．４０ｍｍ）の防振補正時の収差図（Ｂ）
【図７】数値実施例４の無限遠物体に合焦したときのレンズ断面図（Ａ）、コンバージョンレンズのみのレンズ断面図（Ｂ）
【図８】数値実施例４の無限遠物体に合焦したときの収差図（Ａ）、画角の１０％（２．８０ｍｍ）の防振補正時の収差図（Ｂ）
【図９】数値実施例５の無限遠物体に合焦したときのレンズ断面図（Ａ）、コンバージョンレンズのみのレンズ断面図（Ｂ）
【図１０】数値実施例５の無限遠物体に合焦したときの収差図（Ａ）、画角の１０％（３．１１ｍｍ）の防振補正時の収差図（Ｂ）
【図１１】本発明の撮像装置の要部概略図
【発明を実施するための形態】
【００１２】
以下には、本発明の実施の形態を添付の図面に基づいて詳細に説明する。
【００１３】
本発明のコンバージョンレンズは、複数の第１の撮像素子を有する撮像装置に交換レンズとして使用可能な撮像光学系を、第２の撮像素子を有する撮像装置に適用可能とする。その際には、本発明のコンバージョンレンズは撮像光学系と第２の撮像素子との間に配置される。そして、物体側から像側へ順に負レンズ、少なくとも２枚の正レンズを有している。また、コンバージョンレンズの一部または全体を光軸と直交する方向に移動させることで、防振を行うことが可能である。
【００１４】
図１（Ａ）は本発明の実施例１（数値実施例１）のコンバージョンレンズに撮影用の主レンズ光学系を取り付け無限遠に合焦しているときのレンズ断面図である。主レンズ光学系は複数のレンズ群からなるズームレンズであって、所定レンズ群の間隔を変化させることでズームを行っている。（Ｂ）はコンバージョンレンズのみの断面図である。
【００１５】
図２は実施例１（数値実施例１）の（Ａ）非防振時、（Ｂ）防振時（画角の１０％補正時）における収差図である。但し、収差図は無限遠に合焦しているときを図示している。また、焦点距離は数値実施例の値をｍｍ単位で表したときの値である。これは以下の各実施例において全て同じである。
【００１６】
図３、図５、図７、図９はそれぞれ実施例２〜５（数値実施例２〜５）の断面図である。
図４、図６、図８、図１０はそれぞれ実施例２〜５（数値実施例２〜５）の（Ａ）非防振時、（Ｂ）防振時（画角の１０％補正時）における収差図である。
図１１は本発明の撮像装置の要部概略図である。
【００１７】
各レンズ断面図において、左方が被写体（物体）側（前方）で、且つ、撮像光学系側であり、右方が像側（後方）である。レンズ断面図において、ＭＬは撮影用の主レンズ光学系であり、ＣＬは主レンズ光学系と撮像面の間に配するコンバージョンレンズである。ＵＬは防振に際して光軸と直交する方向に移動する（光軸と直交する成分を有して移動する）レンズ群である。
Ｉは撮像面であり、光学系で形成された像を受光し、光電変換する固体撮像素子（光電変換素子）等の撮像面に相当している。
【００１８】
収差図において、直線はｅ線、二点鎖線はｇ線、一点鎖線はＣ線、間隔の長い点線はＦ線のメリディオナル光線である。間隔の短い点線はｅ線のサジタル光線である。ωは半画角、ＦｎｏはＦナンバーである。尚、中心画角０度に対し、防振時には上方向にレンズ群を移動させている。
【００１９】
各実施例において、色分解光学系と第１の撮像素子を少なくとも３つ以上持つ撮像装置に交換レンズとして使用する主レンズ光学系を、色分解光学系を持たず第２の撮像素子を１つ持つ撮像装置に適用可能としている。そのために、主レンズ光学系と第２の撮像素子との間にコンバージョンレンズを配している。そして、コンバージョンレンズは最も物体側に負レンズ、負レンズより像側に少なくとも２枚の正レンズを有している。更に、コンバージョンレンズの一部または全体を光軸と直交する方向に移動させることで、防振を行うことが可能である。
【００２０】
主レンズ光学系は色分解光学系を持つ撮像装置に使用する光学系であるので、色分解光学系を持たない光学系に適用するために、コンバージョンレンズでは諸収差、特に球面収差と軸上色収差の補正を行っている。
【００２１】
また、最も物体側に負レンズがあることで、バックフォーカスを伸ばしつつ、軸外諸収差を補正することが容易となる。そして、２枚の正レンズは物体側の正レンズが負レンズとともに色収差の補正を効果的に行っており、像側の正レンズが主に結像作用を担っている。
【００２２】
一方で、コンバージョンレンズの一部または全体を光軸と直交する方向に移動させることで、防振することを可能としている。そのためには、移動させるレンズ群内は大凡収差補正が為されている必要がある。しかし、実際には防振時に主レンズ光学系内の光路の微小変化により主レンズ光学系で収差が発生するため、キャンセルさせるよう微小な収差を残している。
【００２３】
以上の各条件を満たすことにより、本発明の各実施例は異なるフォーマットの交換レンズと撮像装置を組み合わせて使用でき、且つ、防振機能を有するコンバージョンレンズを得ている。
【００２４】
コンバージョンレンズの最も物体側のレンズ頂点から、合焦状態の主レンズ光学系を取り付けた際の結像点までの空気中の長さをＬ、主レンズ光学系のＦナンバーをＦｍ、主レンズ光学系の空気中のバックフォーカスをＢＦｍ、合焦状態の主レンズ光学系を取り付けた際のコンバージョンレンズの結像倍率をβとするとき、本発明のコンバージョンレンズは、
０．５＜（Ｌ・Ｆｍ）／（ＢＦｍ・β）＜２．０      ・・・（１）
１．１＜β＜４．０                                ・・・（２）
なる条件を満足するのが良い。
【００２５】
条件式（１）は、コンバージョンレンズの結像点までの長さを各パラメータにより規格化し、規定している。主レンズ光学系のＦナンバーとバックフォーカスの比は、主レンズ光学系のＦナンバーが小さく、且つ撮像素子が小さい場合に最も像側のレンズ径と略等しくなる。また、主レンズ光学系とコンバージョンレンズが近接配置しているとき、主レンズ光学系の最も像側のレンズ径はコンバージョンレンズの最も物体側のレンズ径とも近くなる。一方、結像倍率とコンバージョンレンズの長さは略比例関係にある。よって、コンバージョンレンズの長さをレンズ径と結像倍率で規格化している。条件式（１）の上限を超えると、コンバージョンレンズの長さが長くなり、大型化してしまう。条件式（１）の下限を超えると、コンバージョンレンズの長さが短くなり過ぎるため、防振時の処理をする基板やセンサを配置することが困難となる。
【００２６】
条件式（２）は、コンバージョンレンズの結像倍率を規定している。条件式（２）の上限を超えると、コンバージョンレンズのレンズ枚数が著しく増加し、光学系含む装置全体の大きさが大型化し過ぎてしまう。条件式（２）の下限を超えると、コンバージョン後の撮像素子の大きさがコンバージョン前の大きさと同等以上の場合、防振時に周辺の像高で光線ケラレが発生し易くなり、殆ど防振の効果が得られない。
【００２７】
各実施例において更に好ましくは、コンバージョンレンズに主レンズ光学系を取り付けた際の空気中のバックフォーカスをＢＦｃとするとき、
０．６＜ＢＦｃ・Ｆｍ／ＢＦｍ＜２．５              ・・・（３）
なる条件を満足するのが良い。
【００２８】
条件式（３）は、光学系全体のバックフォーカスを各パラメータにより規格化し、規定している。条件式（１）と同様に主レンズ光学系のＦナンバーとバックフォーカスの比は、コンバージョンレンズの径と近いため、バックフォーカスをレンズ径で規定している。条件式（３）の上限を超えると、バックフォーカスが長過ぎるため、光学系含む装置全体の大きさが大型化し過ぎてしまう。条件式（３）の下限を超えると、バックフォーカスが短過ぎるため、撮像装置内部にフィルタ等を配置するための間隔を確保することができない。
【００２９】
各実施例において更に好ましくは、第１の撮像素子のセンササイズの対角長をＩＳｍ、第２の撮像素子のセンササイズの対角長をＩＳｃとするとき、
１.０＜ＩＳｃ／ＩＳｍ＜３．５                    ・・・（４）
なる条件を満足するのが良い。
【００３０】
条件式（４）は、何の光学系も介さず主レンズ光学系を取り付け可能な撮像装置が持つ第１の撮像素子と、コンバージョンレンズを介して主レンズ光学系を取り付け可能な撮像装置が持つ第２の撮像素子の対角長の比を規定している。条件式（４）の上限を超えると、第２の撮像素子が相対的に大きくなり過ぎるため、コンバージョンレンズの枚数増加や大型化に繋がる。条件式（４）の下限を超えると、第２の撮像素子が相対的に小さくなり過ぎるため、センサの高画素化や高感度に不向きである。
【００３１】
最も物体側の負レンズの焦点距離をｆｎ、屈折率をｎｄｎとするとき、本発明のコンバージョンレンズは、
−２．０＜ｆｎ／Ｌ＜−０．１                    ・・・（５）
１．８１＜ｎｄｎ＜３．００                      ・・・（６）
なる条件を満足するのが良い。
【００３２】
条件式（５）は、最も物体側の負レンズの焦点距離とコンバージョンレンズの結像点までの長さの比を規定している。条件式（５）の上限を超えると、負レンズの焦点距離が相対的に短くなり過ぎるため、収差補正が困難となる。条件式（５）の下限を超えると、負レンズの焦点距離が相対的に長くなり過ぎるため、バックフォーカスを長くすることが困難となり、撮像装置内部のフィルタ類を配置する間隔を確保することが困難である。
【００３３】
条件式（６）は、最も物体側の負レンズの屈折率を規定している。条件式（６）の上限を超えると、ベッツバール和の補正が困難となり、像面湾曲が発生してしまう。条件式（６）の下限を超えると、負レンズの曲率半径が小さくなり過ぎるため、諸収差の補正が困難となり、レンズ枚数増加に繋がる。
【００３４】
最も物体側の正レンズの屈折率をｎｄｐ、アッベ数をνｄｐとするとき、本発明のコンバージョンレンズは、
１．７５＜ｎｄｐ＜３．００                      ・・・（７）
５＜νｄｐ＜３０                                ・・・（８）
なる条件を満足するのが良い。
【００３５】
条件式（７）は、最も物体側の正レンズの屈折率を規定している。条件式（７）の上限を超えると、ベッツバール和の補正が困難となり、像面湾曲が発生してしまう。条件式（７）の下限を超えると、正レンズの曲率半径が小さくなり過ぎるため、諸収差の補正が困難となり、レンズ枚数増加に繋がる。
【００３６】
条件式（８）は、最も物体側の正レンズのアッベ数を規定している。条件式（８）の範囲を外れると、色収差の補正が困難となり、主レンズ光学系が本来持つ収差バランスから逸脱してしまう。これにより主レンズ光学系がズームやフォーカスをした際、ズームやフォーカス全域で色収差のバランスを取ること困難となる。
【００３７】
最も物体側の正レンズより物体側の負レンズの平均アッベ数をνｄｎａとするとき、本発明のコンバージョンレンズは、
１＜νｄｎａ−νｄｐ＜２０                      ・・・（９）
なる条件を満足するのが良い。
【００３８】
条件式（９）は、最も物体側の正レンズのアッベ数と、正レンズより物体側の負レンズのアッベ数の比を規定している。条件式（９）の範囲を外れると、軸上色収差と倍率色収差を同時に補正することが困難となり、レンズ枚数増加に繋がる。
【００３９】
更に好ましくは、撮像装置内部にコンバージョンレンズと第２の撮像素子を有するのが良い。これによれば、撮像装置内部のフィルタ類を最適配置することで、コンバージョンレンズのバックフォーカスを短くすることが可能であり、全長短縮だけでなくコンバージョンレンズの枚数を削減することができる。
【００４０】
更に好ましくは条件式（１）乃至（９）の数値範囲を次の如く設定するのが良い。
０．９０＜（Ｌ・Ｆｍ）／（ＢＦｍ・β）＜１．５０    ・・・（１ａ）
１．３０＜β＜３．４０                              ・・・（２ａ）
０．８０＜ＢＦｃ・Ｆｍ／ＢＦｍ＜２．２０            ・・・（３ａ）
１．１０＜ＩＳｃ／ＩＳｍ＜３．１０                  ・・・（４ａ）
−１．６０＜ｆｎ／Ｌ＜−０．２５                    ・・・（５ａ）
１．８５＜ｎｄｎ＜２．５０                          ・・・（６ａ）
１．７８＜ｎｄｐ＜２．３０                          ・・・（７ａ）
１０．０＜νｄｐ＜２５．０                          ・・・（８ａ）
３．０＜νｄｎａ−νｄｐ＜１７．０                  ・・・（９ａ）
【００４１】
次に各実施例に共通の構成を有する主レンズ光学系の特徴について説明する。
第１レンズ面〜第１９レンズ面がズーミングに際し固定のレンズ群であり、第７レンズ面〜第１１レンズ面までがフォーカシングに際し光軸に沿って移動する。第２０レンズ面〜第２７レンズ面と第２８レンズ面〜第３８レンズ面の２つのレンズ群がズーミングに際し各々光軸に沿って移動する。第３９レンズ面〜第５５レンズ面がズーミングに際し固定のレンズ群であり、絞りは第３９レンズ面である。第５６レンズ面〜第５８レンズ面がカメラ内部のプリズム等に相当する。
【００４２】
主レンズ光学系は対角長１１ｍｍの撮像素子に対応可能に設計されており、この１１ｍｍを、光線ケラレがない範囲、イメージサークルと呼ぶ。
【００４３】
次に各実施例のレンズ構成の特徴について説明する。
【００４４】
実施例１において、コンバージョンレンズは第５６レンズ面〜第６１レンズ面である。防振レンズ群は第５６レンズ面〜第５９レンズ面であり、第６０レンズ面〜第６１レンズ面は防振時に固定のレンズである。第５９レンズ面は非球面であり、防振時の諸収差、主にコマ収差と像面湾曲を補正している。
【００４５】
後述する表−１に示すように数値実施例１は条件式（１）〜（９）の何れの条件式も満足しており、結像倍率は１．３６倍である。対角長１３．６ｍｍの撮像素子に対し、防振レンズ群を光軸と垂直方向に１．００ｍｍ移動させることで、対角長の１０％（１．３６ｍｍ）の防振を達成している。且つ、諸収差を良好に補正した高い光学性能を得ており、又、防振時にも高い性能を維持している。
【００４６】
実施例２において、コンバージョンレンズは第５６レンズ面〜第６２レンズ面である。防振レンズ群は第５６レンズ面〜第６２レンズ面である。
【００４７】
後述する表−１に示すように数値実施例２は条件式（１）〜（９）の何れの条件式も満足しており、結像倍率は１．６０倍である。対角長１６．０ｍｍの撮像素子に対し、防振レンズ群を光軸と垂直方向に１．３３ｍｍ移動させることで、対角長の１０％（１．６０ｍｍ）の防振を達成している。且つ、諸収差を良好に補正した高い光学性能を得ており、又、防振時にも高い性能を維持している。
【００４８】
実施例３において、コンバージョンレンズは第５６レンズ面〜第６５レンズ面である。防振レンズ群は第５６レンズ面〜第６０レンズ面であり、第６１レンズ面〜第６５レンズ面は防振時に固定のレンズである。
【００４９】
後述する表−１に示すように数値実施例１は条件式（１）〜（９）の何れの条件式も満足しており、結像倍率は２．４０倍である。対角長２４．０ｍｍの撮像素子に対し、防振レンズ群を光軸と垂直方向に０．９３ｍｍ移動させることで、対角長の１０％（２．４０ｍｍ）の防振を達成している。且つ、諸収差を良好に補正した高い光学性能を得ており、又、防振時にも高い性能を維持している。
【００５０】
実施例４において、コンバージョンレンズは第５６レンズ面〜第６６レンズ面である。防振レンズ群は第５６レンズ面〜第６６レンズ面である。
【００５１】
後述する表−１に示すように数値実施例４は条件式（１）〜（９）の何れの条件式も満足しており、結像倍率は２．８０倍である。対角長２８．０ｍｍの撮像素子に対し、防振レンズ群を光軸と垂直方向に０．７８ｍｍ移動させることで、対角長の１０％（２．８０ｍｍ）の防振を達成している。且つ、諸収差を良好に補正した高い光学性能を得ており、又、防振時にも高い性能を維持している。
【００５２】
実施例５において、コンバージョンレンズは第５６レンズ面〜第６９レンズ面である。防振レンズ群は第５６レンズ面〜第６３レンズ面であり、第６４レンズ面〜第６９レンズ面は防振時に固定のレンズである。第６１レンズ面は非球面であり、防振時の諸収差、主にコマ収差と像面湾曲を補正している。
【００５３】
後述する表−１に示すように数値実施例５は条件式（１）〜（９）の何れの条件式も満足しており、結像倍率は３．１１倍である。対角長３１．１ｍｍの撮像素子に対し、防振レンズ群を光軸と垂直方向に０．８４ｍｍ移動させることで、対角長の１０％（３．１１ｍｍ）の防振を達成している。且つ、諸収差を良好に補正した高い光学性能を得ており、又、防振時にも高い性能を維持している。
【００５４】
以上のように各実施例によれば、各レンズ群の屈折力配置や非球面配置等を適切に規定している。これにより、防振時、非防振時ともに諸収差を良好に補正したコンバージョンレンズを得ている。
【００５５】
図１１は実施例１〜５のコンバージョンレンズと主レンズ光学系を撮影光学系として用いた撮像装置（カメラシステム）の要部概略図である。図１１において１０２は実施例１〜５のいずれかのコンバージョンレンズである。１０１は主レンズ光学系、１２４はカメラである。コンバージョンレンズ１０２はカメラ１２４に対して着脱可能となっており、主レンズ光学系１０１はコンバージョンレンズ１０２に着脱可能になっている。１２５はカメラ１２４にコンバージョンレンズ１０２と主レンズ光学系１０１を装着することで構成される撮像装置である。コンバージョンレンズ１０２は防振レンズ群ＵＬ、防振時固定のレンズ群Ｃを有している。１３１は防振レンズ群ＵＬを光軸と直交する方向に駆動するマグネットやモータ等の駆動機構である。１３０はレンズの揺れを検出するジャイロ等の検出器である。
【００５６】
主レンズ光学系１０１は第１レンズ群Ｆ、変倍部ＬＺ、結像用の最終レンズ群Ｒを有している。
変倍部ＬＺは変倍のために光軸上を移動するレンズ群が含まれている。ＳＰは開口絞りである。１１４、１１５は各々第１レンズ群Ｆ、変倍部ＬＺを光軸方向に駆動するヘリコイドやカム等の駆動機構である。
【００５７】
１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０は主レンズ光学系１０１とコンバージョンレンズ１０２によって形成された被写体像を受光するＣＣＤセンサやＣＭＯＳセンサ等の固体撮像素子（光電変換素子）である。
【００５８】
また、１１１、１２２、１３２はカメラ１２４、コンバージョンレンズ１０２及び主レンズ光学系１０１の各種の駆動を制御するＣＰＵである。このように本発明のコンバージョンレンズをカメラに適用することにより、高い光学性能を有する撮像装置を実現している。
【００５９】
尚、図１１ではコンバージョンレンズを着脱可能としたが撮像装置内部に配置しても同様の効果が得られるため構わない。
【００６０】
以上、本発明の好ましい実施例について説明したが、本発明はこれらの実施例に限定されないことはいうまでもなく、その要旨の範囲内で種々の変形及び変更が可能である。
【００６１】
以下に本発明の各実施例の主レンズ光学系と実施例１〜５に対する数値実施例１〜５を示す。
各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ、νｄｉは第ｉ番目の光学部材の屈折率とアッベ数である。
非球面は面番号の横に＊印を付けている。各実施例と前述した条件式との対応を表−１に示す。
【００６２】
非球面形状は光軸方向にＸ軸、光軸と垂直方向にＨ軸、光の進行方向を正とし、Ｒを近軸曲率半径、ｋを円錐常数、Ａ４、Ａ６、Ａ８をそれぞれ非球面係数としたとき、次式で表している。また、「ｅ−Ｚ」は「×１０−Ｚ」を意味する。
【数１】
2017026985.tif 000003
【００６３】
主レンズ光学系
単位 mm
面データ
面番号       r        d      nd         vd       有効径
1*     17634.271    4.70   1.69680    55.5      183.19
2        109.899   46.92                        152.38
3       -201.325    4.50   1.69680    55.5      151.93
4       1829.577    0.15                        155.00
5        283.523   12.64   1.80518    25.4      158.03
6       2167.464    5.15                        157.76
7      -2805.896   18.49   1.48749    70.2      157.47
8       -196.467    0.20                        157.29
9      -1000.469    4.40   1.80518    25.4      149.49
10        603.998   16.55   1.48749    70.2      146.78
11       -307.782   32.56                        146.03
12        315.156   17.48   1.48749    70.2      155.94
13       -596.320    0.15                        156.09
14        191.137    4.40   1.80518    25.4      155.18
15        118.065    0.39                        149.21
16        119.291   35.44   1.48749    70.2      149.24
17       -534.941    0.15                        148.58
18*       200.940   12.13   1.62041    60.3      141.59
19        826.607  (可変)                        140.30
20        129.425    1.50   1.88300    40.8       52.29
21         64.705    6.90                         48.69
22       -200.592    1.50   1.72916    54.7       47.84
23         41.776   10.46   1.84666    23.8       43.43
24       -106.134    1.50   1.72916    54.7       42.53
25         86.715    6.25                         41.00
26        -81.264    1.50   1.88300    40.8       40.91
27        227.627  (可変)                         41.93
28        600.754    6.75   1.62041    60.3       51.99
29       -114.148    0.15                         52.85
30        117.668   11.71   1.48749    70.2       53.85
31        -75.558    0.09                         53.66
32        -76.874    1.60   1.80518    25.4       53.57
33       -134.820    0.15                         53.89
34         86.226    1.60   1.80518    25.4       52.65
35         48.805   10.30   1.48749    70.2       50.88
36       2324.271    0.15                         50.18
37         94.553    6.65   1.62041    60.3       49.18
38      -6865.358  (可変)                         47.86
39(絞り)    ∞       3.42                         29.98
40        -46.195    1.50   1.77250    49.6       29.29
41         36.572    7.11   1.78472    25.7       28.98
42        -43.549    1.50   1.77250    49.6       28.89
43         69.864    5.93                         28.57
44        -41.024   19.74   1.77250    49.6       28.98
45        -41.228    8.40                         37.08
46       -195.562    4.78   1.62041    60.3       37.58
47        -59.391    0.20                         37.84
48        277.984    1.80   1.88300    40.8       36.81
49         37.998    7.73   1.48749    70.2       35.68
50        -82.491    0.20                         35.71
51         81.354    8.17   1.48749    70.2       34.96
52        -31.106    1.80   1.83400    37.2       34.70
53       -201.103    0.20                         35.02
54        180.091    6.65   1.48749    70.2       34.93
55        -40.373    5.00                         34.74
56          ∞      33.00   1.60859    46.4       40.00
57          ∞      13.20   1.51633    64.2       40.00
58          ∞      12.00                         40.00
像面        ∞   
非球面データ
第1面
K = 1.68492e+004  A 4= 2.64785e-008  A 6=-1.47610e-012  A 8= 8.96960e-017  A10=-3.30657e-021  
第18面
K =-1.44619e-001  A 4=-7.46282e-009  A 6=-2.04300e-013  A 8= 1.70939e-017  A10=-3.75331e-021  
各種データ
焦点距離        6.70  
Fナンバー       1.50  
半画角         39.38  
像高            5.50  
レンズ全長    606.22  
BF             12.00  
d19             3.93  
d27           173.49  
d38             1.30  
入射瞳位置    107.96  
射出瞳位置    328.64  
前側主点位置  114.80  
後側主点位置    5.30  
レンズ群データ
群  始面    焦点距離  レンズ構成長  前側主点位置  後側主点位置
1    1     120.59       216.39       131.11         72.76
2   20     -30.00        29.61        13.82         -6.54
3   28      50.00        39.16        11.50        -15.21
4   39      40.05       130.33        45.82         10.33
単レンズデータ
レンズ  始面  焦点距離
1       1   -158.05
2       3   -258.94
3       5    400.19
4       7    430.89
5       9   -462.89
6      10    419.32
7      12    424.19
8      14   -390.58
9      16    203.02
10      18    423.07
11      20   -147.30
12      22    -47.09
13      23     36.24
14      24    -64.95
15      26    -67.27
16      28    154.56
17      30     95.98
18      32   -222.86
19      34   -141.09
20      35    101.76
21      37    149.80
22      40    -26.09
23      41     26.13
24      42    -34.36
25      44    258.69
26      46    135.12
27      48    -49.73
28      49     54.33
29      51     47.13
30      52    -44.05
31      54     68.10
32      56      0.00
33      57      0.00
【００６４】
数値実施例１
単位 mm
面データ
面番号       r        d      nd         vd       有効径
1*     17634.271    4.70   1.69680    55.5      183.19
2        109.899   46.92                        152.38
3       -201.325    4.50   1.69680    55.5      151.93
4       1829.577    0.15                        155.00
5        283.523   12.64   1.80518    25.4      158.03
6       2167.464    5.15                        157.76
7      -2805.896   18.49   1.48749    70.2      157.47
8       -196.467    0.20                        157.29
9      -1000.469    4.40   1.80518    25.4      149.49
10        603.998   16.55   1.48749    70.2      146.78
11       -307.782   32.56                        146.03
12        315.156   17.48   1.48749    70.2      155.94
13       -596.320    0.15                        156.09
14        191.137    4.40   1.80518    25.4      155.18
15        118.065    0.39                        149.21
16        119.291   35.44   1.48749    70.2      149.24
17       -534.941    0.15                        148.58
18*       200.940   12.13   1.62041    60.3      141.59
19        826.607    3.93                        140.30
20        129.425    1.50   1.88300    40.8       52.29
21         64.705    6.90                         48.69
22       -200.592    1.50   1.72916    54.7       47.84
23         41.776   10.46   1.84666    23.8       43.43
24       -106.134    1.50   1.72916    54.7       42.53
25         86.715    6.25                         41.00
26        -81.264    1.50   1.88300    40.8       40.91
27        227.627  173.49                         41.93
28        600.754    6.75   1.62041    60.3       51.99
29       -114.148    0.15                         52.85
30        117.668   11.71   1.48749    70.2       53.85
31        -75.558    0.09                         53.66
32        -76.874    1.60   1.80518    25.4       53.57
33       -134.820    0.15                         53.89
34         86.226    1.60   1.80518    25.4       52.65
35         48.805   10.30   1.48749    70.2       50.88
36       2324.271    0.15                         50.18
37         94.553    6.65   1.62041    60.3       49.18
38      -6865.358    1.30                         47.86
39(絞り)    ∞       3.42                         29.98
40        -46.195    1.50   1.77250    49.6       29.29
41         36.572    7.11   1.78472    25.7       28.98
42        -43.549    1.50   1.77250    49.6       28.89
43         69.864    5.93                         28.57
44        -41.024   19.74   1.77250    49.6       28.98
45        -41.228    8.40                         37.08
46       -195.562    4.78   1.62041    60.3       37.58
47        -59.391    0.20                         37.84
48        277.984    1.80   1.88300    40.8       36.81
49         37.998    7.73   1.48749    70.2       35.68
50        -82.491    0.20                         35.71
51         81.354    8.17   1.48749    70.2       34.96
52        -31.106    1.80   1.83400    37.2       34.70
53       -201.103    0.20                         35.02
54        180.091    6.65   1.48749    70.2       34.93
55        -40.373   12.00                         34.74
56       -339.273    1.50   2.00330    28.3       26.94
57         42.375    6.63                         26.26
58         93.825    3.29   1.95906    17.5       28.01
59*      -514.249    1.40                         28.02
60         42.327    3.46   1.49700    81.5       27.74
61        109.453   40.00                         27.21
像面        ∞   
非球面データ
第59面
K = 0.00000e+000  A 4=-1.13711e-006  A 6=-1.57811e-009  A 8= 3.13303e-012  
各種データ
焦点距離        9.11  
Fナンバー       2.04  
半画角         36.73  
像高            6.80  
レンズ全長    611.30  
BF             40.00  
d55            12.00  
入射瞳位置    107.96  
射出瞳位置  -1066.36  
前側主点位置  116.99  
後側主点位置   30.89  
レンズ群データ
群  始面    焦点距離  レンズ構成長  前側主点位置  後側主点位置
1    1       6.70       543.02       114.80         39.47
2   56    -281.58        16.28       -40.37        -61.37
単レンズデータ
レンズ  始面  焦点距離
32      56    -37.16
33      58     81.86
34      60    136.13
【００６５】
数値実施例２
単位 mm
面データ
面番号       r        d      nd         vd       有効径
1*     17634.271    4.70   1.69680    55.5      183.19
2        109.899   46.92                        152.38
3       -201.325    4.50   1.69680    55.5      151.93
4       1829.577    0.15                        155.00
5        283.523   12.64   1.80518    25.4      158.03
6       2167.464    5.15                        157.76
7      -2805.896   18.49   1.48749    70.2      157.47
8       -196.467    0.20                        157.29
9      -1000.469    4.40   1.80518    25.4      149.49
10        603.998   16.55   1.48749    70.2      146.78
11       -307.782   32.56                        146.03
12        315.156   17.48   1.48749    70.2      155.94
13       -596.320    0.15                        156.09
14        191.137    4.40   1.80518    25.4      155.18
15        118.065    0.39                        149.21
16        119.291   35.44   1.48749    70.2      149.24
17       -534.941    0.15                        148.58
18*       200.940   12.13   1.62041    60.3      141.59
19        826.607    3.93                        140.30
20        129.425    1.50   1.88300    40.8       52.29
21         64.705    6.90                         48.69
22       -200.592    1.50   1.72916    54.7       47.84
23         41.776   10.46   1.84666    23.8       43.43
24       -106.134    1.50   1.72916    54.7       42.53
25         86.715    6.25                         41.00
26        -81.264    1.50   1.88300    40.8       40.91
27        227.627  173.49                         41.93
28        600.754    6.75   1.62041    60.3       51.99
29       -114.148    0.15                         52.85
30        117.668   11.71   1.48749    70.2       53.85
31        -75.558    0.09                         53.66
32        -76.874    1.60   1.80518    25.4       53.57
33       -134.820    0.15                         53.89
34         86.226    1.60   1.80518    25.4       52.65
35         48.805   10.30   1.48749    70.2       50.88
36       2324.271    0.15                         50.18
37         94.553    6.65   1.62041    60.3       49.18
38      -6865.358    1.30                         47.86
39(絞り)    ∞       3.42                         29.98
40        -46.195    1.50   1.77250    49.6       29.29
41         36.572    7.11   1.78472    25.7       28.98
42        -43.549    1.50   1.77250    49.6       28.89
43         69.864    5.93                         28.57
44        -41.024   19.74   1.77250    49.6       28.98
45        -41.228    8.40                         37.08
46       -195.562    4.78   1.62041    60.3       37.58
47        -59.391    0.20                         37.84
48        277.984    1.80   1.88300    40.8       36.81
49         37.998    7.73   1.48749    70.2       35.68
50        -82.491    0.20                         35.71
51         81.354    8.17   1.48749    70.2       34.96
52        -31.106    1.80   1.83400    37.2       34.70
53       -201.103    0.20                         35.02
54        180.091    6.65   1.48749    70.2       34.93
55        -40.373   12.00                         34.74
56        163.150    1.50   1.88300    40.8       29.18
57         48.064   20.00                         28.04
58       -137.392    1.50   1.95375    32.3       24.59
59         24.134    5.39   1.80809    22.8       24.52
60      24339.091    0.36                         24.69
61         33.413    4.25   1.58913    61.1       25.11
62        389.925   30.00                         24.70
像面        ∞   
各種データ
焦点距離       10.72  
Fナンバー       2.40  
半画角         36.73  
像高            8.00  
レンズ全長    618.02  
BF             30.00  
d55            12.00  
入射瞳位置    107.96  
射出瞳位置   -273.83  
前側主点位置  118.30  
後側主点位置   19.28  
レンズ群データ
群  始面    焦点距離  レンズ構成長  前側主点位置  後側主点位置
1    1       6.70       543.02       114.80         39.47
2   56    -138.12        33.00       -17.63        -52.87
単レンズデータ
レンズ  始面  焦点距離
32      56    -77.19
33      58    -21.27
34      59     29.59
35      61     61.52
【００６６】
数値実施例３
単位 mm
面データ
面番号       r        d      nd         vd       有効径
1*     17634.271    4.70   1.69680    55.5      183.19
2        109.899   46.92                        152.38
3       -201.325    4.50   1.69680    55.5      151.93
4       1829.577    0.15                        155.00
5        283.523   12.64   1.80518    25.4      158.03
6       2167.464    5.15                        157.76
7      -2805.896   18.49   1.48749    70.2      157.47
8       -196.467    0.20                        157.29
9      -1000.469    4.40   1.80518    25.4      149.49
10        603.998   16.55   1.48749    70.2      146.78
11       -307.782   32.56                        146.03
12        315.156   17.48   1.48749    70.2      155.94
13       -596.320    0.15                        156.09
14        191.137    4.40   1.80518    25.4      155.18
15        118.065    0.39                        149.21
16        119.291   35.44   1.48749    70.2      149.24
17       -534.941    0.15                        148.58
18*       200.940   12.13   1.62041    60.3      141.59
19        826.607    3.93                        140.30
20        129.425    1.50   1.88300    40.8       52.29
21         64.705    6.90                         48.69
22       -200.592    1.50   1.72916    54.7       47.84
23         41.776   10.46   1.84666    23.8       43.43
24       -106.134    1.50   1.72916    54.7       42.53
25         86.715    6.25                         41.00
26        -81.264    1.50   1.88300    40.8       40.91
27        227.627  173.49                         41.93
28        600.754    6.75   1.62041    60.3       51.99
29       -114.148    0.15                         52.85
30        117.668   11.71   1.48749    70.2       53.85
31        -75.558    0.09                         53.66
32        -76.874    1.60   1.80518    25.4       53.57
33       -134.820    0.15                         53.89
34         86.226    1.60   1.80518    25.4       52.65
35         48.805   10.30   1.48749    70.2       50.88
36       2324.271    0.15                         50.18
37         94.553    6.65   1.62041    60.3       49.18
38      -6865.358    1.30                         47.86
39(絞り)    ∞       3.42                         29.98
40        -46.195    1.50   1.77250    49.6       29.29
41         36.572    7.11   1.78472    25.7       28.98
42        -43.549    1.50   1.77250    49.6       28.89
43         69.864    5.93                         28.57
44        -41.024   19.74   1.77250    49.6       28.98
45        -41.228    8.40                         37.08
46       -195.562    4.78   1.62041    60.3       37.58
47        -59.391    0.20                         37.84
48        277.984    1.80   1.88300    40.8       36.81
49         37.998    7.73   1.48749    70.2       35.68
50        -82.491    0.20                         35.71
51         81.354    8.17   1.48749    70.2       34.96
52        -31.106    1.80   1.83400    37.2       34.70
53       -201.103    0.20                         35.02
54        180.091    6.65   1.48749    70.2       34.93
55        -40.373   12.00                         34.74
56        104.749    1.50   1.95375    32.3       29.13
57         27.380    8.39                         27.32
58         29.715    7.17   1.80809    22.8       29.27
59        -82.121    1.50   2.00100    29.1       28.49
60         55.041   18.11                         27.15
61        -67.167    3.87   1.48749    70.2       25.67
62        -28.199    0.20                         25.80
63        -49.051    5.53   1.85478    24.8       25.04
64        -17.807    1.50   2.00100    29.1       25.08
65        -73.153   40.00                         25.94
像面        ∞   
各種データ
焦点距離       16.08  
Fナンバー       3.60  
半画角         36.73  
像高           12.00  
レンズ全長    642.78  
BF             40.00  
d55            12.00  
入射瞳位置    107.96  
射出瞳位置   -100.58  
前側主点位置  122.20  
後側主点位置   23.92  
レンズ群データ
群  始面    焦点距離  レンズ構成長  前側主点位置  後側主点位置
1    1       6.70       543.02       114.80         39.47
2   56     -54.38        47.77         2.44        -36.14
単レンズデータ
レンズ  始面  焦点距離
32      56    -38.96
33      58     27.52
34      59    -32.48
35      61     96.23
36      63     29.94
37      64    -23.64
【００６７】
数値実施例４
単位 mm
面データ
面番号       r        d      nd         vd       有効径
1*     17634.271    4.70   1.69680    55.5      183.19
2        109.899   46.92                        152.38
3       -201.325    4.50   1.69680    55.5      151.93
4       1829.577    0.15                        155.00
5        283.523   12.64   1.80518    25.4      158.03
6       2167.464    5.15                        157.76
7      -2805.896   18.49   1.48749    70.2      157.47
8       -196.467    0.20                        157.29
9      -1000.469    4.40   1.80518    25.4      149.49
10        603.998   16.55   1.48749    70.2      146.78
11       -307.782   32.56                        146.03
12        315.156   17.48   1.48749    70.2      155.94
13       -596.320    0.15                        156.09
14        191.137    4.40   1.80518    25.4      155.18
15        118.065    0.39                        149.21
16        119.291   35.44   1.48749    70.2      149.24
17       -534.941    0.15                        148.58
18*       200.940   12.13   1.62041    60.3      141.59
19        826.607    3.93                        140.30
20        129.425    1.50   1.88300    40.8       52.29
21         64.705    6.90                         48.69
22       -200.592    1.50   1.72916    54.7       47.84
23         41.776   10.46   1.84666    23.8       43.43
24       -106.134    1.50   1.72916    54.7       42.53
25         86.715    6.25                         41.00
26        -81.264    1.50   1.88300    40.8       40.91
27        227.627  173.49                         41.93
28        600.754    6.75   1.62041    60.3       51.99
29       -114.148    0.15                         52.85
30        117.668   11.71   1.48749    70.2       53.85
31        -75.558    0.09                         53.66
32        -76.874    1.60   1.80518    25.4       53.57
33       -134.820    0.15                         53.89
34         86.226    1.60   1.80518    25.4       52.65
35         48.805   10.30   1.48749    70.2       50.88
36       2324.271    0.15                         50.18
37         94.553    6.65   1.62041    60.3       49.18
38      -6865.358    1.30                         47.86
39(絞り)    ∞       3.42                         29.98
40        -46.195    1.50   1.77250    49.6       29.29
41         36.572    7.11   1.78472    25.7       28.98
42        -43.549    1.50   1.77250    49.6       28.89
43         69.864    5.93                         28.57
44        -41.024   19.74   1.77250    49.6       28.98
45        -41.228    8.40                         37.08
46       -195.562    4.78   1.62041    60.3       37.58
47        -59.391    0.20                         37.84
48        277.984    1.80   1.88300    40.8       36.81
49         37.998    7.73   1.48749    70.2       35.68
50        -82.491    0.20                         35.71
51         81.354    8.17   1.48749    70.2       34.96
52        -31.106    1.80   1.83400    37.2       34.70
53       -201.103    0.20                         35.02
54        180.091    6.65   1.48749    70.2       34.93
55        -40.373   19.49                         34.74
56        515.790    1.50   2.00069    25.5       25.30
57         29.839    7.87                         24.08
58         38.858    1.50   2.00069    25.5       25.99
59         15.882    8.12   1.92286    18.9       24.78
60        230.891    6.51                         24.41
61       -139.612    1.50   2.00100    29.1       23.29
62         39.951    7.23   1.59551    39.2       23.25
63        -25.132    0.20                         23.61
64        -37.628    1.50   2.00100    29.1       23.02
65         52.202    4.08   1.85478    24.8       23.56
66       -103.569   40.00                         23.89
像面        ∞   
各種データ
焦点距離       18.76  
Fナンバー       4.19  
半画角         36.73  
像高           14.00  
レンズ全長    642.51  
BF             40.00  
d55            19.49  
入射瞳位置    107.96  
射出瞳位置    -59.57  
前側主点位置  123.18  
後側主点位置   21.24  
ズームレンズ群データ
群  始面    焦点距離  レンズ構成長  前側主点位置  後側主点位置
1    1       6.70       543.02       114.80         39.47
2   56     -34.19        40.00         4.70        -21.54
単レンズデータ
レンズ  始面  焦点距離
31      54     68.10
32      56    -31.41
33      58    -27.50
34      59     17.93
35      61    -30.65
36      62     26.87
37      64    -21.49
38      65     40.72
【００６８】
数値実施例５
単位 mm
面データ
面番号       r        d      nd         vd       有効径
1*     17634.271    4.70   1.69680    55.5      183.19
2        109.899   46.92                        152.38
3       -201.325    4.50   1.69680    55.5      151.93
4       1829.577    0.15                        155.00
5        283.523   12.64   1.80518    25.4      158.03
6       2167.464    5.15                        157.76
7      -2805.896   18.49   1.48749    70.2      157.47
8       -196.467    0.20                        157.29
9      -1000.469    4.40   1.80518    25.4      149.49
10        603.998   16.55   1.48749    70.2      146.78
11       -307.782   32.56                        146.03
12        315.156   17.48   1.48749    70.2      155.94
13       -596.320    0.15                        156.09
14        191.137    4.40   1.80518    25.4      155.18
15        118.065    0.39                        149.21
16        119.291   35.44   1.48749    70.2      149.24
17       -534.941    0.15                        148.58
18*       200.940   12.13   1.62041    60.3      141.59
19        826.607    3.93                        140.30
20        129.425    1.50   1.88300    40.8       52.29
21         64.705    6.90                         48.69
22       -200.592    1.50   1.72916    54.7       47.84
23         41.776   10.46   1.84666    23.8       43.43
24       -106.134    1.50   1.72916    54.7       42.53
25         86.715    6.25                         41.00
26        -81.264    1.50   1.88300    40.8       40.91
27        227.627  173.49                         41.93
28        600.754    6.75   1.62041    60.3       51.99
29       -114.148    0.15                         52.85
30        117.668   11.71   1.48749    70.2       53.85
31        -75.558    0.09                         53.66
32        -76.874    1.60   1.80518    25.4       53.57
33       -134.820    0.15                         53.89
34         86.226    1.60   1.80518    25.4       52.65
35         48.805   10.30   1.48749    70.2       50.88
36       2324.271    0.15                         50.18
37         94.553    6.65   1.62041    60.3       49.18
38      -6865.358    1.30                         47.86
39(絞り)    ∞       3.42                         29.98
40        -46.195    1.50   1.77250    49.6       29.29
41         36.572    7.11   1.78472    25.7       28.98
42        -43.549    1.50   1.77250    49.6       28.89
43         69.864    5.93                         28.57
44        -41.024   19.74   1.77250    49.6       28.98
45        -41.228    8.40                         37.08
46       -195.562    4.78   1.62041    60.3       37.58
47        -59.391    0.20                         37.84
48        277.984    1.80   1.88300    40.8       36.81
49         37.998    7.73   1.48749    70.2       35.68
50        -82.491    0.20                         35.71
51         81.354    8.17   1.48749    70.2       34.96
52        -31.106    1.80   1.83400    37.2       34.70
53       -201.103    0.20                         35.02
54        180.091    6.65   1.48749    70.2       34.93
55        -40.373   14.64                         34.74
56        125.704    1.50   2.00100    29.1       27.72
57         23.883    1.43                         25.89
58         32.377    1.50   2.00100    29.1       26.07
59         15.286    9.56   1.80809    22.8       25.00
60       1089.814    8.02                         25.20
61*       -90.267    1.50   1.95375    32.3       26.17
62        162.199    4.54   1.51742    52.4       26.35
63        -45.616    5.00                         26.64
64        -31.372    1.50   2.00100    29.1       26.21
65       -197.684    6.53   1.68893    31.1       27.77
66        -25.168    0.20                         28.88
67       -104.448    7.58   1.85478    24.8       28.22
68        -19.585    1.50   2.00100    29.1       28.30
69        -91.982   60.00                         29.42
像面        ∞   
非球面データ
第61面
K = 0.00000e+000  A 4= 9.72422e-006  A 6= 9.05906e-009  A 8= 6.38844e-011  
各種データ
焦点距離       20.84  
Fナンバー       4.66  
半画角         36.73  
像高           15.55  
レンズ全長    668.02  
BF             60.00  
d55            14.64  
入射瞳位置    107.96  
射出瞳位置    -98.56  
前側主点位置  126.06  
後側主点位置   39.16  
ズームレンズ群データ
群  始面    焦点距離  レンズ構成長  前側主点位置  後側主点位置
1    1       6.70       543.02       114.80         39.47
2   56     -48.47        50.36        -1.36        -42.28
単レンズデータ
レンズ  始面  焦点距離
32      56    -29.44
33      58    -30.02
34      59     18.91
35      61    -60.19
36      62     69.01
37      64    -37.12
38      65     40.91
39      67     26.82
40      68    -24.92
【００６９】
【表１】
2017026985.tif 000004
【符号の説明】
【００７０】
ＭＬ  主レンズ光学系、ＣＬ  コンバージョンレンズ、ＵＬ  防振レンズ群、Ｉ  像面
【図１】
2017026985.tif 000005
【図２】
2017026985.tif 000006
【図３】
2017026985.tif 000007
【図４】
2017026985.tif 000008
【図５】
2017026985.tif 000009
【図６】
2017026985.tif 000010
【図７】
2017026985.tif 000011
【図８】
2017026985.tif 000012
【図９】
2017026985.tif 000013
【図１０】
2017026985.tif 000014
【図１１】
2017026985.tif 000015